(57)【要約】【目的】洗浄水を肛門内部に送り込んで便を軟化させ、或は腸を刺激し排便を促す機能を備えた衛生洗浄装置を提供する。【構成】後方に後退して格納の状態から前進して使用状態に変えられる導水管（６）の先端部には上向きに噴出ノズル（１１）を立ち上げ、その先端部を半球状に形成して該先端部に噴出口（１２）を開設し、使用時には前記導水管（６）を前進状態に保って前記噴出ノズル（１１）を使用者の局部の下に臨ませ、この状態で洗浄水を噴射して局部を洗浄する一方、便秘により排便が困難な使用者には前記導水管（６）を揺動させて先端部の前記噴出ノズル（１１）を上昇させて肛門の内部に挿入し、前記噴出口（１２）からの洗浄水を腸の内部に噴射して便を湿潤させ、或は腸を刺激して排便を促す。【選択図】図２
2008179962.tif 000002
【特許請求の範囲】
【請求項１】
便器に固定する本体部に対して前方に向けて突き出すように取付けられる案内支持体に格納時には後退し、使用時には前進するよう伸縮自由に導水管を支持させ、該導水管の先端部に上向きに噴出ノズルを立ち上げると共に、該噴出ノズルの先端部を半球形に形成して中心部に洗浄水の噴出口を開設してなることを特徴とした衛生洗浄装置。
【請求項２】
案内支持体は本体部に対して前端部が揺動自由となるよう取付け、使用時に導水管を前進させたとき、前記案内支持体の揺動操作によって前記導水管の先端部の噴出ノズルを上昇可能にしてなることを特徴とした請求項１に記載の衛生洗浄装置。
【請求項３】
案内支持体は本体部に対して支軸を介して揺動自由に取付け、噴出ノズルの上昇時には前記支軸を支点に揺動することを特徴とした請求項１又は２に記載の衛生洗浄装置。
【請求項４】
導水管は所要の剛性と撓み性を有した合成樹脂製のパイプ材で形成することをと特徴とした請求項１乃至３に記載の衛生洗浄装置。
【発明の詳細な説明】
【技術分野】
【０００１】
本発明は便器に設置する衛生洗浄装置に関する。
【背景技術】
【０００２】
周知の様に便器に設置される生洗浄装置は、排便後局部に水或は温水を噴き付けて洗浄するものであり、今では便器に常設される程に広く実用化されている。
この衛生洗浄装置は、先端部に噴出ノズルを設けた導水管を備え、不使用時にはこの導水管を後方に引き込んで便器の中から後退させ、排便時に汚損されるのを回避する一方、排便後に使用する場合は後退位置から動力を使って前記導水管を引き出し、便器の中央位置に噴出ノズルを出して使用者の局部の下に達したところで常温の水，或は温水をこの導水管を通して供給し、上記噴出ノズルから局部に向けて噴出させて洗浄する構造になっている。そして、使用後は導水管に別の噴出ノズルから洗浄水を掛けて洗浄したのち後退させ、便器の後部に格納するものとなっている。
【０００３】
この衛生洗浄装置における上記の動きは基本的な動きとなっており、そのため噴出ノズルを有した導水管は格納状態から使用に際しての引き出しに備えて前後方向に伸縮する構造になっているもの、或は水平方向に略９０度範囲で旋回して横向きになって格納される姿勢から前向きになって使用可能姿勢に変換する構造のもの等様々なものがある。
この様な中で、前者のものは例えば特許文献１と言ったものがあり、後者のものとしては例えば特許文献２，３と言ったものがある。
【特許文献１】特開２００２−１６１５６８号公報。
【特許文献２】特開２００２−  １６１５７号公報。
【特許文献３】特開２００２−３３２６７６号公報。
【０００４】
上記特許文献１〜３に記載される衛生洗浄装置は伸縮する構造のものにしろ、旋回させる構造のものにしろ噴出ノズルを前後に移動させて、使用時には使用者の局部の略直下に臨ませ、水或は温水を噴付けて洗浄するものでであり、局部を中心とした体の表面部を清浄にするもである。
この噴出ノズルから噴き出す洗浄水は単に体の表面を清浄にするだけでなく、局部、更に具体的には肛門内部に送り込むことによって宿便を軟化させ、便秘を解消することにも利用することが可能である。
【０００５】
しかし、従来提供されている衛生洗浄装置は、噴出力を調整し、強い噴射にすることによって肛門及び周辺を洗浄することは可能であるが、腸の内部に洗浄水を的確に送り込み、宿便を軟化させたり、腸の内壁面を湿潤させ、或は腸壁に刺激を与えて排便活動を誘発することまでは困難である。仮に、噴射力を高めても、洗浄水の一部を腸内に送り込むことは可能であっても飛散することによって便器の周辺を汚すと言った問題を起こす。
【発明の開示】
【発明が解決しようとする課題】
【０００６】
したがって、本発明は上記事情に鑑み、噴出ノズルより噴き出す洗浄水を肛門を通して腸の内部に送り込むことができるようにして腸内部に止る宿便に対して直接噴き掛け、その軟化を誘導すると共に、腸に対して洗浄水の噴付けで刺激を与え、排便活動を誘発して便秘の解消にも有効に作用し、効果を挙げられるようにした衛生洗浄装置を提供することにある。
【課題を解決するための手段】
【０００７】
本発明は、上記課題を解決するため洗浄水を噴き出す噴出ノズルを洗浄水の導水管の先端部に上向きに立ち上げ、肛門に向けての噴射を正確に行えるようにすると同時に、この立ち上げた噴出ノズルを肛門内に挿入することを可能にし、これより噴出する洗浄水を腸内部に直接送り込めるようにした衛生洗浄装置を提供することにある。
【０００８】
更に本発明を詳述すれば、本発明は、便器に固定する本体部に対して前方に向けて突き出すように取付けられる案内支持体に格納時には後退し、使用時には前進するよう伸縮自由に導水管を支持させ、該導水管の先端部に上向きに噴出ノズルを立ち上げると共に、該噴出ノズルの先端部を半球形に形成して中心部に洗浄水の噴出口を開設してなることを特徴とした衛生洗浄装置を提供することにある。
【０００９】
ここで、上記噴出ノズルは、肛門を通してその内部の腸に向けて洗浄水を送り込むことから肛門を通過できる長さに設定することになる。そして、このノズルの先端部は肛門内部に挿入する際に傷付けるのを回避するため半球形状に形成して挿入性を図ると同時に、この半球形をなす先端部の中心位置に洗浄水の噴出口を開設することによって肛門と該先端部を洗浄水によって湿潤させ、挿入性を更に良好なものとする。
【００１０】
この様なことから本発明によれば、噴出ノズルからの洗浄水の噴出しによって肛門及びその周辺部を直接洗浄できる一方、上記噴出ノズルを肛門内に挿入し、挿入した状態で洗浄水を噴出することにより腸内部に洗浄水を送り込んで宿便を軟化させたり、更には腸内壁を刺激して排便運動を促すことができるものとなる。
【００１１】
また更に、本発明は前記案内支持体は本体部に対して前端部が揺動自由となるよう取付け、使用に当って導水管を前進させたとき、前記案内支持体の揺動操作によって前記導水管の先端部の噴出ノズルを上昇可能にしてなることを特徴とした衛生洗浄装置を提供するものである。
【００１２】
上記発明は、肛門を通して腸の内部に前記噴出ノズルの先端部を使用に当って自動挿入するものである。
洗浄に当って導水管の先端部に備える噴出ノズルを使用者の局部の直下に臨ませたとき、その状態で洗浄水を強噴射することで洗浄水の一部を肛門内部に送り込むことも可能であるが、腸内部に確実に洗浄水を送り込むためには噴出ノズルを肛門内部に挿入する必要がある。
【００１３】
本発明は、この噴出ノズルの挿入を実現するもので、前後に進退する導水管を装置本体部に支持する案内支持体の基端を揺動自由に支持して噴出ノズルを備える先端部を上昇可能にするものである。
導水管の上昇は、モータ等の動力を利用して行い、先端部の噴出ノズルが局部の直下に達した時点で駆動し、噴出ノズルを肛門内に進入させることになる。
【００１４】
この揺動を可能にするため本発明では前記案内支持体の基端部を本体部に対して揺動自由に支軸を介して軸承するものとしている。
そして更に、上記支軸に案内支持体の側面に固定するギヤを滑合し、前記モータの回転をこのギヤに伝えて支軸を支点に案内支持体を揺動する構造にして噴出ノズルの上昇操作を行えるようにしてある。
従って、モータを遠隔操作によって駆動すれば、導水管が前進した状態にあるとき、その先端部の噴出ノズルを上昇移動させ、肛門内に挿入することが可能になる。
【００１５】
更に本発明は、前記導水管は所要の剛性と撓み性を有した合成樹脂製のパイプ材で形成することをと特徴とした衛生洗浄装置を提供することにある。
【００１６】
噴出ノズルを肛門内に挿入するとき前述のように導水管を揺動させて先端部を押上げることによって行うことになるが、噴出ノズルがスムーズに肛門内に挿入されなかったとき、或は挿入後腸内部で進入が阻まれたとき、肛門更には腸内壁を傷付ける危険がある。
本発明はこの様な事態に対応させて、導水管の撓み性を利用して上記挿入乃至進入が阻まれたとき、噴出ノズルの無理な上昇を回避して安全な使用を可能にしたのである。
勿論、上記導水管は噴出ノズルを肛門内に挿入するに必要な剛性が求められることは言うまでもないことである。従って、こゝにおける撓み性はこの噴出ノズルの挿入において肛門乃至腸が傷付くまでに至らない範囲での抵抗を受けたとき、この抵抗によって容易に撓む程のものとなる。
【発明の効果】
【００１７】
本発明は、上記の如く導水管の先端部に噴出ノズルを立ち上げ、この噴出ノズルの先端に設ける噴出口を通して洗浄水を局部肛門に向けて噴射できる構造にしたことから、正確に局部に向けて噴き付けることができ、的確な洗浄が行える。また、この噴出ノズルを上昇させることによって肛門に挿入して洗浄水を内部に噴射することができることから、便に直接洗浄水を噴き掛けてこれを湿潤させ、或は腸の内壁を刺激し、排便を誘発することができることになる。
次に、本発明を図示する実施の形態に基づき説明し、その特徴とするところを詳述することにする。
【発明を実施するための最良の形態】
【００１８】
図１は使用状態を説明する本発明の衛生洗浄装置の側面図で、図２は要部の概略拡大側面図であり、図中の符号１は便器であり、２は便器１の開口部の後部に設置した本発明に係る衛生洗浄装置である。
衛生洗浄装置２は本体部３の下部に支軸４を支点に先端部５ａを上方に向けて揺動自由にする案内支持体５を備え、上記先端部５ａから導水管６が突き出すようにしてある。
【００１９】
案内支持体５は筒形にして一側面から立ち上げるブラケット７を前記本体部３に横設する支軸４に回動自由に軸承させて略水平な姿勢から先端部５ａを上昇させる方向に揺動する構造にしてある。
そして、ここでは上記ブラケット７の側面にギヤ８を一体に固着し、このギヤ８を前記支軸４に遊装し、更にこのギヤ８に本体部３内に収めるモータ９によって回転されるギヤ１０を噛合させ、上記モータ９の回転により前記ギヤ８が回転されることで支軸４を支点にブラケット７を回すようにしてあり、これにより前記案内支持体５をその先端部５ａが上昇する方向に揺動するようにしてある。
【００２０】
導水管６は一端に強い力を受けたとき撓むことができる柔軟性を有した合成樹脂製のパイプ材から形成してある。そして、先端部に上方に向けて突き出すように噴出ノズル１１を立ち上げている。
上記噴出ノズルは、ここでは３０ｍｍの高さに形成してあり、先端部（上端部）を半球状に形成して後述するように肛門への挿入に当っての抵抗が小さくなるようにしてある。そして、この半球状に形成した先端部の中央に洗浄水の噴出口１２を開設している。
【００２１】
尚、この噴出ノズル１１は高さを前述の通り３０ｍｍとするが、この高さは肛門を通過し、先端部が腸の中に進入して噴出口１２からの洗浄水が腸の内部に達することを前提に選択されるものであり、例えば２０ｍｍであっても、また更に長く３０ｍｍを超えるものであってもよい。たゞこの場合噴出ノズル１１の進入量が高くなると腸の内壁を傷付ける危険があるので、その限界を超えない長さを選択することになることは言うまでもない。
【００２２】
また、この噴出ノズル１１は挿入性を良好にするため先端部を半球状に形成することに加えて細身の筒体とすることが好ましい。たゞこの場合、噴出ノズルが細過ぎると、内径が狭くなって洗浄水の噴出量が低下すること、そして先端が尖鋭化して半球形に形成する効果が失われることになることから、これらの問題を起さない範囲の細さ、つまり直径を有する筒体とすることが望まれる。
【００２３】
前記導水管６は、前記案内支持体５の先端部から後端部を侵入させて出没自由に組付けられ、不使用時には後方内部深く後退して収縮状態に保持され、噴出ノズル１１を便器の後部に引入れる。そして、使用時にはばね１４の不勢によって前進させ、伸長した状態に保持するようにしてある。そして、後端部には送水用のフレキシブル管１３を接続し、前記本体部３の内部に備える図示しない洗浄水の送水ポンプからの洗浄水を送り込むことになる。
【００２４】
この様に構成される本発明衛生洗浄装置２は、不使用時には導水管６を案内支持体５の内部に引き入れて収縮した状態に保持し、排便の妨げにならないようにする一方、使用に当っては前述したようにばね１４の不勢によって、或はモータ等駆動力を利用して案内支持体５の前方に迫り出させ、先端部に備える噴出ノズル１１を肛門の下方に臨ませることになる。そして、通常の使用に際してはこの姿勢においてポンプを作動させ、常温下の水若しくは温水を噴出口１２から肛門に向けて噴付け、これを洗浄することになる。
【００２５】
その一方、宿便等によって使用者が便秘状態にある場合にはモータ９を駆動してギヤ１０，８を介してブラケット７を支軸４を支点に回転させ、案内支持体５の先端部５ａを持ち上げるようにして導水管６を上昇させ、その先端部の噴出ノズル１１を上げて肛門に挿入することになる。
この作業に当ってはモータ９を遠隔操作によって駆動し、案内支持体５の揺動を介して行うことになるが、その他の方向として補助用具を使って手動的に導水管６を持ち上げ、噴出ノズル１１を上昇させることもできる。
【００２６】
尚、この噴出ノズルの挿入作業に当っては噴出ノズルの噴出口１２から洗浄水を噴出させ、先端部を湿潤させた状態にして行うこともある。勿論この場合、噴き出しを止めて挿入することを排除するものではないが、挿入性を良好にするため洗浄水の事前の噴出は有効である。
【００２７】
この様にして噴出ノズル１１を肛門に挿入したのち、洗浄水を噴出すると、腸内部にある便に直接洗浄水が供給されるため、自動的に便を軟化させることができ、従って宿便等によって便秘状態にある場合はそのまゝ排便されることになる。またこの洗浄水は腸の内壁にも直接掛かることになることから、その刺激を受けて排便活動が誘発されることにもなる。
【００２８】
つまり、本発明における上記噴出ノズルの肛門内への挿入と、この状態においての洗浄水の放出は、浣腸操作と同様の操作となり、便秘状態を解消するのに有効なものとなる。
尚、上記腸内部への洗浄水の噴出しは、衛生洗浄の上からは予備的な操作であり、排便後は噴出ノズルを肛門の外に引き出し、下方から洗浄水を噴付けて再洗浄操作をすることになる。
【００２９】
ところで、噴出ノズル１１の肛門内への挿入はその内壁を傷付ける危険があるが、本発明では噴出ノズル１１の上昇時に所定以上の抵抗を受けたとき、初期的に導水管６が撓んで無理な挿入を回避するため未然にその危険を回避し、安全な使用を可能にすることになる。
【図面の簡単な説明】
【００３０】
【図１】使用状態を説明する一部断面とした概略左側面図。
【図２】一部断面とした要部の概略説明左側面図である。
【符号の説明】
【００３１】
１          便器
２          本発明に係る衛生洗浄装置
３          衛生洗浄装置の本体部
４          支軸
５          案内支持体
６          導水管
７          ブラケット
８，１０    ギヤ
９          モータ
１１        噴出ノズル
１２        噴出口
【図１】
2008179962.tif 000003
【図２】
2008179962.tif 000004